(57)【特許請求の範囲】
【請求項１】
励起光源で発光される励起光を増幅用ファイバに注入して、当該増幅用ファイバで入力光信号を増幅する光ファイバ増幅器において、
前記入力光信号の入力断を検出する入力断検出手段と、
所定周波数のパルス信号に変調をかけてパルス変調信号を生成するパルス変調信号生成手段と、
この手段で生成されるパルス変調信号に基づいて前記励起光源を駆動してパルス状の励起光を発光させる駆動手段と、
前記励起光源から出力される励起光のレベルをモニタして前記励起光源の劣化状態を判定する状態判定手段とを具備し、
前記パルス変調信号生成手段は、前記入力断検出手段で入力断が検出されない場合には前記増幅用ファイバで所定の増幅率が得られ、入力断が検出される場合には前記増幅用ファイバの増幅作用を停止すべく変調度を制御することを特徴とする光ファイバ増幅器。
【請求項２】
さらに、前記増幅用ファイバの光出力レベルをモニタする出力モニタ手段を備え、
前記パルス変調信号生成手段は、前記入力断検出手段で入力断が検出されないとき、前記出力モニタ手段のモニタレベルを基準レベルで一定とすべく変調度を制御することを特徴とする請求項１に記載の光ファイバ増幅器。
【請求項３】
前記パルス変調信号生成手段は、パルス幅変調方式を採用し、前記入力断の検出時には、前記励起光が前記増幅用ファイバの蛍光寿命より短い期間で発光するようにパルス幅変調をかけることを特徴とする請求項１に記載の光ファイバ増幅器。
【請求項４】
前記パルス変調信号生成手段は、パルス数変調方式を採用し、前記入力断の検出時には、前記励起光が前記増幅用ファイバの蛍光寿命より短い期間で発光するようにパルス数変調をかけることを特徴とする請求項１に記載の光ファイバ増幅器。
【請求項５】
前記駆動手段は、前記励起光源の温度による変動を補償する温度補償手段を備えることを特徴とする請求項１に記載の光ファイバ増幅器。
【請求項６】
前記状態判定手段は、前記励起光のピークレベルをモニタし、基準レベルと比較することで劣化状態を判定することを特徴とする請求項１に記載の光ファイバ増幅器。
【請求項７】
励起光源で発光される励起光を増幅用ファイバに注入して当該増幅用ファイバに反転分布を形成することで入力光信号を増幅する光ファイバ増幅器に用いられ、
前記入力光信号の断状態で、前記反転分布が形成されない程度に前記励起光源をパルス駆動し、その発光レベルから前記励起光源の劣化状態を判定することを特徴とする励起光源の監視方法。
【発明の詳細な説明】
【０００１】
【発明の属する技術分野】
本発明は、光通信装置に使用される光ファイバ増幅器に用いられる光ファイバ増幅器、および励起光源の監視方法に関する。
【０００２】
【従来の技術】
光信号を媒体として情報を伝送する通信システムでは、光信号を光信号のまま増幅することのできる光ファイバ増幅器が使用される。光ファイバ増幅器は、エルビウム（Ｅｒ）などの希土類元素がドープされた増幅用の光ファイバに、励起光源からの励起光を注入して、そのポンプ作用により光信号を増幅する。この種の増幅器は、入力光レベルによらず安定した出力レベルを得るために、出力レベル安定化制御のもとで動作させられることが多い。
【０００３】
但し、出力レベル安定化制御がかけられると、入力される光信号が無い状態では励起光源が最大出力で駆動されることになるため、最大の増幅利得で待機する状態となる。この状態から光信号がステップ応答的に入力されると、光サージという、ピークレベルの非常に高い信号が光ファイバ増幅器から出力されてしまう。光サージが生じると、光ファイバ増幅器の後段に接続される光受信機に入力される光信号のレベルが許容値を超えてしまい、光受信機が故障したり、最悪の場合には破損に至るという極めて深刻な不具合が有る。また波長多重システムにおいて光ファイバ増幅器の出力光を他の波長光と多重する場合には、光サージが他の波長の光信号に影響を及ぼすなどといった弊害もある。
【０００４】
このような事情から、光信号の無入力状態では励起光源の駆動を停止して、光信号が入力されたときだけ励起光源を動作させるといった手法が従来から採られている。しかしながらこのような手法では、光信号の無入力状態において励起光源の状態をモニタすることができない。すなわち、光信号の無入力状態では励起光源の出力が０であるので、駆動を再開した際に励起光源から励起光が正常に出力されるか否か、不明であるという不具合が有る。もちろん、耐障害性能を高めるために光ファイバ増幅器を冗長構成として運用する場合でも、事情は変わらない。
【０００５】
【発明が解決しようとする課題】
以上述べたように従来の光ファイバ増幅器は、光信号の無入力状態で励起光源の駆動を停止するように制御しているため、その期間の励起光源の劣化状態をモニタすることができないという不具合を有する。
本発明は上記事情によりなされたもので、その目的は、光サージを防止しつつ励起光源の状態を常時モニタすることの可能な光ファイバ増幅器、および励起光源の監視方法を提供することにある。
【０００６】
【課題を解決するための手段】
上記目的を達成するために本発明は、励起光源で発光される励起光を増幅用ファイバに注入して、当該増幅用ファイバで入力光信号を増幅する光ファイバ増幅器において、前記入力光信号の入力断を検出する入力断検出手段と、所定周波数のパルス信号に変調をかけてパルス変調信号を生成するパルス変調信号生成手段と、この手段で生成されるパルス変調信号に基づいて前記励起光源を駆動してパルス状の励起光を発光させる駆動手段と、前記励起光源から出力される励起光のレベルをモニタして前記励起光源の劣化状態を判定する状態判定手段とを具備し、前記パルス変調信号生成手段は、前記入力断検出手段で入力断が検出されない場合には前記増幅用ファイバで所定の増幅率が得られ、入力断が検出される場合には前記増幅用ファイバの増幅作用を停止すべく変調度を制御することを特徴とする。
【０００７】
このような手段を講じたことにより、入力光信号が断であるか、そうでないかに応じてパルス変調信号の変調度が可変設定される。すなわち、入力光信号が断でない場合には、前記増幅用ファイバにて所望の増幅率が得られるように、パルス変調信号の変調度が設定される。また入力光信号が断である場合には、前記増幅用ファイバの増幅作用が停止されるように、パルス変調信号の変調度が設定される。
【０００８】
これにより、入力光信号が断である場合には光ファイバ増幅器の利得がほぼ０となり、従って光サージを防止できる。
【０００９】
さらに、入力光信号が断であるか、否かに係わらず、励起光源は常時パルス状に発光している。このパルス光をモニタすることで、励起光源の状態を監視することができる。
【００１０】
以上のことから、光サージを防止しつつ励起光源の状態を常時モニタすることが可能になる。
【００１１】
【発明の実施の形態】
以下、図面を参照して本発明の実施の形態を詳細に説明する。
【００１２】
（第１の実施形態）
図１は、本発明に係わる光ファイバ増幅器の第１の実施形態における構成を示す図である。図１において、入力光信号１は、光分岐器２および光合波器３を介して、希土類元素がドープされた増幅用ファイバ４に入射される。入力光信号１は増幅用ファイバ４において所定利得で増幅され、出力光信号５として図示しない光スイッチや次段の光増幅器などに向け出力される。
【００１３】
入力光信号１は光分岐器２において一部分岐され、受光素子６により光電変換される。光電変換信号は入力断検出部１０に与えられ、入力光信号１が断となった場合にはその旨がパルス幅（ＰＷＭ：Pulse Width Modulation）変調器１３に通知される。
【００１４】
増幅用ファイバ４には、励起用半導体レーザ（以下励起ＬＤと表記する）７で発生される励起光が光合波器３を介して導入され、そのポンプ作用により入力光信号１が増幅される。励起光は受光素子８により一部光電変換され、得られたモニタ信号が増幅器１１を介してＬＤ劣化検出部１２およびパルス幅変調器１３に与えられる。励起ＬＤ７は、パルス幅変調器１３から与えられる信号に基づいて駆動部１４により駆動される。なお、励起ＬＤ７と受光素子８とを、レーザモジュール９として一体化しても良い。
【００１５】
図２は、図１に示される励起ＬＤ７の発光状態を示す図である。図２（ａ）は、入力断検出部１０において信号断が検出されていない状態、すなわち通常動作モードでの出力の状態を示す。図２（ｂ）は、入力断検出部１０において信号断が検出された状態、すなわち待機モードでの出力の状態を示す。
【００１６】
同図に示されるように、励起ＬＤ７は励起光をパルス状に出力する。これは、ＰＷＭ変調器１３からパルス駆動信号が駆動部１４に与えられることによる。励起ＬＤ７の出力平均電力値はパルスデューティー比に応じて変化する。
【００１７】
通常動作モードでは、図２（ａ）に示されるように、励起ＬＤ７の出力平均電力値が増幅用ファイバ４が所定利得の増幅作用を発揮するレベルとなるようにパルスデューティー比を設定する。
【００１８】
これに対し、待機モードにおいては、図２（ｂ）に示されるように、パルス幅変調のパルス幅を通常動作モードよりも狭く設定し、励起ＬＤ７の出力平均電力を通常動作モードよりも低くする。好ましくは、励起ＬＤ７の出力平均電力値がほぼ０となるように、パルス幅を設定する。このようにパルス幅を狭くすることで、増幅用ファイバ４における信号の励起作用を抑圧し、これにより、励起ＬＤ７を発光させつつ光ファイバ増幅器の増幅作用を停止する。
【００１９】
待機モードにおけるパルス幅変調のパルス幅は、レーザ媒質である増幅用ファイバ４の蛍光寿命よりも短い時間に設定すると良い。例えば、ポピュラーなＥｒドープ型の増幅用ファイバを使用する場合、１０ＫＨｚ以上の変調周波数が目安となる。
【００２０】
励起ＬＤ７の役割は、増幅用ファイバ４内に反転分布を形成して誘導増幅が可能な状態にすることにある。増幅に利用される誘導放出の遷移寿命（すなわち蛍光寿命）は材料で決定される。従って、励起ＬＤ７の光出力パワーは、反転分布を形成するに際して利得と飽和出力を決定するだけの意味を持つ。よって、励起ＬＤ７を増幅用ファイバ４の蛍光寿命よりも短い時間で間欠的に動作させても、その平均出力パワーで所定の利得と飽和出力を決定することができる。
【００２１】
つまり、励起ＬＤ７を連続発振させなくとも、パルス幅変調（ＰＷＭ）などの、不連続発振ではあるがその時間平均のパワーを変化させると云う手法で励起ＬＤ７を駆動することにより、増幅用ファイバ内に反転分布を安定に形成することが可能である。
【００２２】
このような駆動方法を採用すると、ＰＷＭのパルス幅を狭くすることで、反転分布の上位エネルギー密度を低くすることができる。つまり、励起ＬＤ７は発光しているが、光ファイバ増幅器の増幅利得はほぼ０であるという状態を作り出すことができる。
【００２３】
このように、増幅用ファイバ４内における反転分布の上位エネルギー密度を低くすることにより光ファイバ増幅器の増幅利得が抑えられ、急激な光入力が生じた場合でも光サージを防止することができる。このような状態でも、励起ＬＤ７は一定のピークレベルのパルス光を発振し続けている。よって、このパルス光をモニタすることにより、光ファイバ増幅器の動作モード（通常動作モード、あるいは待機モード）によらず、励起ＬＤ７の状態を確認する事ができる。
【００２４】
つまり、光サージを発生させないで、かつ、励起ＬＤ７の正常性を確認することができるようになる。以上で説明した原理は、システム的に冗長構成をとる光ファイバ増幅器にも適用可能である。
【００２５】
図３は、図１に示されるパルス幅変調器１３の構成例を示す回路ブロック図である。図３において、図２の増幅器１１からのモニタ信号１６は、誤差増幅器１９において平均出力レベル設定電圧源１８の電圧値と比較される。誤差増幅器１９の出力は切替器２１に与えられる。切替器２１には、パルス幅設定電圧源２０からの設定電圧も与えられる。切替器２１は、入力断検出部１０からの信号断検出信号１５に応じて、誤差増幅器１９の出力、または、パルス幅設定電圧源２０からの設定電圧のいずれかを切り替えて主要部２４に入力する。
【００２６】
主要部２４は、三角波、のこぎり波、または正弦波などの周期的信号を発生する信号発生器２２と、スライスアンプ２３とを備える。スライスアンプ２３には、信号発生器２２で発生される周期的信号と、切替器２１の出力信号とが与えられる。そうして、スライスアンプ２３により、周期的信号が切替器２１の出力信号と２値比較されることにより、パルス幅変調信号１７を得ることができる。
【００２７】
上記構成では、信号断の非検出時においては切替器２１が誤差増幅器１９側に接続される。これにより図１の励起ＬＤ７の出力レベルを一定とするフィードバックループが形成されて、励起ＬＤ７の出力レベルが一定となるようなパルス幅変調信号１７が得られる。一方、信号断が検出されると切替器２１がパルス幅設定電圧源２０側に切り替えられる。これによりパルス幅設定電圧源２０の電圧値に応じたデューティー比のパルス幅変調信号１７が得られる。
【００２８】
図４は、図１の劣化検出部１２の構成例を示す回路ブロック図である。同図に示される構成は、励起ＬＤ７のＰＷＭ変調時の尖頭値（ピーク値）をアナログ的に検出して、これを閾値設定信号３０と比較することにより励起ＬＤ７の劣化を判定するようにしたものである。図４において、ダイオード２７を介して導入されるモニタ信号２５は、コンデンサ２８および放電用抵抗２９からなるローパスフィルタを介して平滑化され、比較器３１において閾値設定電圧源３０の閾値電圧と比較される。その結果、モニタ信号２５が閾値電圧よりも低ければ、励起ＬＤ劣化検出信号２６が出力される。これにより励起ＬＤ７の正常性を確認することができる。
【００２９】
図５は、図１の劣化検出部１２の他の構成例を示す回路ブロック図である。図５において、パルス状のモニタ信号２５がスライスレベル設定電圧源３２の電圧値と比較器３３において比較される。その結果、パルスが有れば、次段の単安定マルチバイブレータ３４の動作が持続し、励起ＬＤ７が正常に動作していることが判定される。パルスが無くなれば、単安定マルチバイブレータ３４の出力が反転して励起ＬＤ７の異常が検出され、励起ＬＤ劣化検出信号２６が出力される。このようにしても励起ＬＤ７の正常性を確認することができる。
【００３０】
図６は、図１の駆動部１４の他の構成例を示す回路ブロック図である。一般に、励起ＬＤ７の閾値電流は、温度により変化する。そうすると、励起ＬＤ７の光出力のパルスのピークが所定値よりも低下し、励起ＬＤ７が劣化したことが誤って検出される場合が有る。図６に示される構成は、これを解決するものである。
【００３１】
図６において、符号３６は定電流回路である。またサーミスタ３８を備える温度依存抵抗部３７が設けられている。すなわち、閾値電流だけ別に駆動回路を設けることにより、励起ＬＤ７の閾値電流に温度依存性を持たせるようにしている。これによりパルス幅変調信号３５が温度補償され、温度変化によらず励起ＬＤ７の光出力のパルスのピークを一定に保つことが可能になる。
【００３２】
以上述べたように本実施形態では、パルス幅変調器１３からパルス変調信号を駆動部１４に与えて励起ＬＤ７にパルス状の励起光を発生させる。入力断検出部１０により入力光信号１の状態を検出し、信号断が検出されたか否かでパルス変調信号のパルス幅を切り替える。信号断が検出されない通常動作モードでは、励起ＬＤ７の出力平均値が所定レベルとなるようにパルス幅を設定する。信号断が検出された待機モードでは、励起ＬＤ７の出力平均値がほぼ０となるように、パルス幅を設定する。そうして、待機モードにおいても、間欠的に発光する励起ＬＤ７の出力光をモニタすることにより励起ＬＤ７の正常性を確認するようにしている。
【００３３】
このように、励起ＬＤ７をパルス状に発光させ、待機モードにおいてはそのパルス幅を狭く、換言すればパルス幅変調のデューティー比を小さく抑えることで、増幅用ファイバ４内の反転分布の上位エネルギー密度を低くした状態で励起ＬＤ７を発光させることができる。これにより光ファイバ増幅器の増幅利得が抑えられ、入力光信号が復旧して急激な光入力が生じたとしても光サージを防止することができる。しかも励起ＬＤ７が発光していることから、その動作状態を確認することも容易にできる。以上のことから、光サージを防止しつつも励起ＬＤ７の状態を常時モニタすることが可能になる。
【００３４】
（第２の実施形態）
図７は、本発明に係わる光ファイバ増幅器の第２の実施形態における構成を示す図である。なお図７において図１と共通する部分には同一の符号を付して示し、ここでは異なる部分についてのみ説明する。
【００３５】
図７に示される光ファイバ増幅器は、増幅後の光信号の一部を分岐する光分岐器３９を備え、受光素子４０で光電変換された分岐光を増幅器１１を介してパルス幅変調器１３に入力するようにしたものである。パルス幅変調器１３は、増幅器１１の出力レベルを一定とすべく、パルス幅変調のパルス幅を制御する。これにより、出力光信号５が一定レベルとなるように励起ＬＤ７の出力の平均値が制御される。
【００３６】
このような構成とすることで、光ファイバ増幅器の出力光レベルを一定に保つことが可能になる。すなわち第１の実施形態では、励起ＬＤ７の出力の平均値を一定とするようなフィードバックループが形成された。これに対して本実施形態では、光ファイバ増幅器の出力光レベルを一定に保つようなフィードバックループが形成される。これにより、第１の実施形態と同様の効果を得られるに加え、光ファイバ増幅器の出力光レベルをより直接的に安定化させることができる。なお図示されていないが、図７において受光素子８と劣化検出部１２との間に増幅器１１を別に設けるようにしても良い。
【００３７】
（第３の実施形態）
図８は、本発明に係わる光ファイバ増幅器の第３の実施形態における構成を示す図である。なお図８において図１と共通する部分には同一の符号を付して示し、ここでは異なる部分についてのみ説明する。図８に示される構成は、図１のパルス幅変調器１３に代えて、パルス数変調器４１を設けたものである。すなわち本実施形態では、パルス幅変調方式に代えて、パルス数変調（ＰＮＭ：Pulse Number Modulation）方式を採用する。
【００３８】
図９は、図８に示される励起ＬＤ７の発光状態を示す図である。図９（ａ）は、通常動作モードでの励起ＬＤ７の出力の状態を、図９（ｂ）は待機モードでの出力の状態をそれぞれ示す。
【００３９】
図８においては、励起ＬＤ７の出力平均電力値がパルス幅によってではなく、一定の幅を有するパルスの数によって制御される。すなわち、パルス数が多ければ励起ＬＤ７の出力平均電力値は高くなるし、パルス数が少なければ励起ＬＤ７の出力平均電力値は低くなる。図９（ｂ）の待機モードにおいては、励起ＬＤ７の出力平均電力値がほぼ０となるようにパルス数が設定される。
【００４０】
ＰＮＭを採用する場合には、その最低パルス周期を、レーザ媒質である増幅用ファイバ４の蛍光寿命よりも短い時間にするのが好ましい。そのためには、やはり１０ＫＨｚ以上の周波数が目安となる。
【００４１】
図１０は、図８に示されるパルス数変調器４１の構成例を示す回路ブロック図である。なお図１０において図３と共通する部分には同一の符号を付して示し、ここでは異なる部分についてのみ説明する。図１０に示されるパルス数変調器４１は、図３のスライスアンプ２３から出力されるパルス幅変調信号１７を、パルス発生器４２に接続されたゲート素子４３に入力するように構成したものである。
【００４２】
ゲート素子４３は、パルス幅変調信号１７の幅だけゲートをオープンし、パルス発生器４２で発生されたパルス列を出力する。すなわち、パルス幅変調信号１７の幅に応じた数のパルス列が、パルス数変調信号４４として出力される。入力信号断時におけるゲートのオープン期間は、パルス幅設定電圧源２０の電圧値により設定される。
【００４３】
以上のような構成においても、パルス幅変調を用いたのと同様に、励起ＬＤ７の出力平均値を自在に制御することができる。従って、上記第１の実施形態と同様の効果を得ることができる。
【００４４】
（第４の実施形態）
図１１は、本発明に係わる光ファイバ増幅器の第４の実施形態における構成を示す図である。なお図１１において図７と共通する部分には同一の符号を付して示し、ここでは異なる部分についてのみ説明する。図１１に示される光ファイバ増幅器は、図７におけるパルス幅変調器１３に代えて、パルス数変調器４１を設けた構成となっている。
【００４５】
このような構成によれば、出力光信号５のレベルに応じて、励起ＬＤ７の出力平均値がより直接的に制御される。従って、上記第２の実施形態と同様の効果を得ることができる。
【００４６】
（第５の実施形態）
図１２は、本発明に係わる光ファイバ増幅器を用いた光送信装置の構成を示す図である。図１２に示される光送信装置は、二つの光送信機４５にそれぞれ光ファイバ増幅器４６を接続し、１：１の冗長構成をなす送信系を備える。各光ファイバ増幅器４６はパルス幅変調器１３からのパルス信号により間欠的に駆動され、その出力は光合波器４８で結合されて図示しない光伝送路などに送出される。そして、各光ファイバ増幅器４６は、システム切替器４７により一方が現用系として、他方が待機系として切り替え運用される。
【００４７】
上記構成において、待機系の光ファイバ増幅器４６は、接続される光送信機４５から入力される光信号を増幅せず、むしろ損失を加えて光合波器４８に達しないようにする。従来では、待機系の光ファイバ増幅器４６が備える励起ＬＤ７の動作が完全に停止される。しかしながらこのようにすると、待機系の励起ＬＤ７の正常性を、待機系が現用系に切り替えられて動作を開始するまで確認できなくなる。
【００４８】
そこで本実施形態では、上記第１〜第４の実施形態で述べたように、光ファイバ増幅器４６の励起ＬＤ７をパルス信号により間欠的に駆動するようにする。そうして、現用系の光ファイバ増幅器４６の励起ＬＤ７の出力光レベル平均値を所望の増幅利得を得られるように、そのパルス駆動のパルス変調度を設定する。また、予備系の光ファイバ増幅器４６における励起ＬＤ７の増幅用ファイバ４が損失媒体として十分に機能するように、励起ＬＤ７のパルス駆動のパルス変調度を設定するようにする。
【００４９】
このようにすることで、待機系の光ファイバ増幅器４６の励起ＬＤ７の正常性を、待機状態のまま監視することが可能となる。もちろん、図１２においてパルス幅変調器１３に代えてパルス数変調器４１を備えるようにしても、同様の効果を得ることができる。
【００５０】
以上述べたように上記第１〜第５の実施形態によれば、光サージを防止しつつ励起光源の状態を常時モニタするが可能になる。
なお、本発明は上記実施の形態に限定されるものではない。例えば第５の実施形態では１：１の冗長構成につき説明したが、これに限らず、Ｎ：１（Ｎは自然数）、すなわち多対１の冗長構成を有する光送信装置に対しても本発明を適用することが可能である。
【００５１】
このほか、パルス幅変調器１３の構成、劣化検出部１２の構成、駆動部１４の構成、さらにはパルス数変調器４１の構成など、本発明の要旨を逸脱しない範囲で種々の変形実施を行うことができる。
【００５２】
【発明の効果】
以上詳述したように本発明によれば、光サージを防止しつつ励起光源の状態を常時モニタすることの可能な光ファイバ増幅器、および励起光源の監視方法を提供することができる。
【図面の簡単な説明】
【図１】  本発明に係わる光ファイバ増幅器の第１の実施形態における構成を示す図。
【図２】  図１に示される励起ＬＤ７の発光状態を示す図。
【図３】  図１に示されるパルス幅変調器１３の構成例を示す回路ブロック図。
【図４】  図１の劣化検出部１２の構成例を示す回路ブロック図。
【図５】  図１の劣化検出部１２の他の構成例を示す回路ブロック図。
【図６】  図１の駆動部１４の他の構成例を示す回路ブロック図。
【図７】  本発明に係わる光ファイバ増幅器の第２の実施形態における構成を示す図。
【図８】  本発明に係わる光ファイバ増幅器の第３の実施形態における構成を示す図。
【図９】  図８に示される励起ＬＤ７の発光状態を示す図。
【図１０】  図８に示されるパルス数変調器４１の構成例を示す回路ブロック図。
【図１１】  本発明に係わる光ファイバ増幅器の第４の実施形態における構成を示す図。
【図１２】  本発明に係わる光ファイバ増幅器を用いた光送信装置の構成を示す図。
【符号の説明】
１…入力光信号
２…光分岐器
３…光合波器
４…増幅用ファイバ
５…出力光信号
６…受光素子
７…励起用半導体レーザ（励起ＬＤ）
８…受光素子
９…レーザモジュール
１０…入力断検出部
１１…増幅器
１２…劣化検出部
１３…パルス幅変調器
１４…駆動部
１８…平均出力レベル設定電圧源
１９…誤差増幅器
２０…パルス幅設定電圧源
２１…切替器
２２…信号発生器
２３…スライスアンプ
２４…主要部
２７…ダイオード
２８…コンデンサ
２９…放電用抵抗
３０…閾値設定電圧源
３１…比較器
３２…スライスレベル設定電圧源
３３…比較器
３４…単安定マルチバイブレータ
３７…温度依存抵抗部
３８…サーミスタ
３９…光分岐器
４０…受光素子
４１…パルス数変調器
４２…パルス発生器
４３…ゲート素子
４６…光ファイバ増幅器
４７…システム切替器
４８…光合波器
【図１】
0003930374.tif 000002
【図２】
0003930374.tif 000003
【図３】
0003930374.tif 000004
【図４】
0003930374.tif 000005
【図５】
0003930374.tif 000006
【図６】
0003930374.tif 000007
【図７】
0003930374.tif 000008
【図８】
0003930374.tif 000009
【図９】
0003930374.tif 000010
【図１０】
0003930374.tif 000011
【図１１】
0003930374.tif 000012
【図１２】
0003930374.tif 000013